【手続補正書】
【提出日】平成19年9月4日(2007.9.4)
【手続補正１】
【補正対象書類名】明細書
【補正対象項目名】請求項９
【補正方法】変更
【補正の内容】
【請求項９】
前記被転写材は、転写材、もしくは、各色の現像剤像を順次多重転写後転写材に一括転写する中間転写体、であることを特徴とする請求項１乃至８のいずれか１項に記載の画像形成装置。
【手続補正２】
【補正対象書類名】明細書
【補正対象項目名】０００４
【補正方法】変更
【補正の内容】
【０００４】
（ａ）上述の「現像同時クリーニング」、「クリーナレス」の画像形成装置において、帯電手段としては例えば特開平０４−２０９８６号公報にて示されている。この帯電手段は、導電性弾性体である回転ブラシを接触帯電部材としてこれを感光ドラムに接触させて感光ドラム上の転写残トナーを攪乱し、非パターン化を促進すると同時に、直流電圧と交流電圧を印加し、放電により感光ドラム表面を均一に帯電させる様にし、且つ「クリーナレス」を達成している。この際の交流電圧のピーク間電圧と帯電効率を模式的に示したものが図１２である。図１２において、Ｌ点が安定放電点であり、それ以上のピーク間電圧では安定して放電が行われることにより、感光ドラムの電位は印加した直流電圧とほぼ同様の収束電位になる。安定放電点に相当するピーク間電圧以上で帯電電位が収束することより、以降は帯電電位を収束させるピーク間電圧を「帯電電位収束電圧」と称する。
【手続補正３】
【補正対象書類名】明細書
【補正対象項目名】００３３
【補正方法】変更
【補正の内容】
【００３３】
（９）前記被転写材は、転写材、もしくは、各色の現像剤像を順次多重転写後転写材に一括転写する中間転写体、であることを特徴とする（１）乃至（８）のいずれか１項に記載の画像形成装置。
【手続補正４】
【補正対象書類名】明細書
【補正対象項目名】００７０
【補正方法】変更
【補正の内容】
【００７０】
この転写ニップ部ｃに不図示の給紙部から所定のタイミングで記録媒体（被転写材）としての記録紙等の転写材Ｐが給紙され、且つ転写ローラ６に転写バイアス印加電源Ｓ３から所定の転写バイアス電圧が印加されることで、感光ドラム１周面のトナー像が転写ニップ部ｃに給紙された転写材Ｐの表面に順次転写されていく。
【手続補正５】
【補正対象書類名】明細書
【補正対象項目名】００７９
【補正方法】変更
【補正の内容】
【００７９】
プロセスカートリッジとは、帯電手段、現像手段またはクリーニング手段と像担持体とを一体的にカートリッジ化し、そのカートリッジを画像形成装置本体に対して着脱可能とするものである。及び帯電手段、現像手段またはクリーニング手段の少なくとも一つと像担持体とを一体的にカートリッジ化し、そのカートリッジを画像形成装置本体に対して着脱可能とするものである。更に少なくとも現像手段と像担持体とを一体的にカートリッジ化し、そのカートリッジを画像形成装置本体に対して着脱可能とするものをいう。従って、プロセスカートリッジには、少なくとも前記像担持体と前記接触帯電手段を包含している形態のものが含まれる。
【手続補正６】
【補正対象書類名】明細書
【補正対象項目名】００９４
【補正方法】変更
【補正の内容】
【００９４】
トナー粒子像の転写効率を高めるためには、トナー粒子の形状係数ＳＦ−２は、１００〜１４０であり、（ＳＦ−２）／（ＳＦ−１）の値が１．０以下であるのがよい。トナー粒子の形状係数ＳＦ−２が１４０より大きく、（ＳＦ−２）／（ＳＦ−１）の値が１．０を超える場合、トナー粒子の表面がなめらかではなく、多数の凹凸をトナー粒子が有しており、感光ドラム１から転写材Ｐ等への転写効率が低下する傾向にある。
【手続補正７】
【補正対象書類名】明細書
【補正対象項目名】０１７０
【補正方法】変更
【補正の内容】
【０１７０】
〈実施例３〉
図１０は本実施例の画像形成装置の概略構成模型図である。この画像形成装置はタンデム方式のフルカラー画像形成装置であり、複数の像担持体と、該像担持体をそれぞれ帯電する複数の帯電手段と、各像担持体の帯電面に形成された静電潜像を複数のトナーでそれぞれ現像して各色のトナー像を形成する複数の現像手段と、前記複数色のトナー像（現像剤像）を被転写体に順次転写する複数の転写手段を備えるカラー画像形成装置であって、前記各帯電手段の内少なくとも一つが像担持体と接触部を形成する可撓性の帯電部材により像担持体面を帯電する接触帯電装置であり、前記帯電部材が少なくとも像担持体と接触する表面が多孔質状であり、像担持体に対して速度差を持って駆動され、少なくとも画像記録時には、交流電圧と直流電圧が重畳して印加されるとともに、交流電圧の周波数をｆ(cycle/sec)、像担持体表面の面移動速度をｖ(mm/sec)、とした時、
｜ｆ／ｖ｜≧１２(cycle/mm)
の範囲とすることで、重畳した交流電圧が注入帯電されることによる帯電ムラを抑制することを特徴する。
【手続補正８】
【補正対象書類名】明細書
【補正対象項目名】０１７３
【補正方法】変更
【補正の内容】
【０１７３】
ここで、第１から第４の画像形成手段部Ｙ、Ｍ、Ｃ、Ｂｋの現像手段３３ａ〜３３ｄは、現像器内にイエロー、マゼンタ、シアン、ブラックの各色のトナーが内包されている点を除いては、同様な構成である。
以下、画像形成動作の詳細について説明する。
第１から第４の各画像形成手段部Ｙ、Ｍ、Ｃ、Ｂｋにおいて、各帯電手段３１ａ〜３１ｄにより均一に帯電された感光ドラム３０ａ〜３０ｄの表面に、パーソナルコンピュータ等のホストからの画像データに応じて変調されたレーザビームが像露光手段３２ａ〜３２ｄより照射され、各色に対して所望の静電潜像が得られる。この潜像はこれと対向して配設されている各色のトナーを内包した現像器である現像手段３３ａ〜３３ｄにより、現像部位で反転現像されトナー像として可視化される。
先ず、第１（１色目）の画像形成手段部Ｙに於いて、感光ドラム３０ａ上にイエロートナー画像が形成されるが、この間にカセット等の転写材収納部２９から、給紙ローラ等の給紙手段により被転写材として記録紙（転写材）Ｐが給紙され、レジストローラ対３８へと搬送される。記録紙Ｐは、レジストローラ対３８で一旦停止後、駆動ローラ２４と従動ローラ２５に懸架された静電搬送ベルト３９に不図示の吸着ローラよって所定のタイミングにより吸着・搬送され、転写ローラ３５とのニップ部で転写される。
次いで、第２（２色目）、第３（３色目）、第４（４色目）の画像形成手段部Ｍ、Ｃ、Ｂｋに於いて、それぞれ同様な工程を経て、マゼンタ、シアン、ブラック各色のトナー像が各感光ドラム３０ｂ、３０ｃ、３０ｄより順次に同一の記録紙Ｐ上に多重転写され、カラートナー像が形成される。
この記録紙Ｐ上に転写されたカラートナー像は、定着装置等の定着手段３７によって溶融定着され、記録紙Ｐ上に永久定着され、排紙部からフェイスアップの向きで排紙トレイに排出され、所望のカラープリント画像が得られる。
【手続補正９】
【補正対象書類名】明細書
【補正対象項目名】０１８５
【補正方法】変更
【補正の内容】
【０１８５】
その後、中間転写ベルト３６の裏面より当接配置された二次転写対向ローラ２６に対向し、中間転写ベルト３６表面(像担持面)に当接配置された二次転写ローラ２７にトナーと逆極性のバイアスの印加を行う。この際、露光による静電潜像の作像に合わせてカセット２９やマルチフィーダー（不図示）から給紙された転写材である記録紙Ｐが、中間転写ベルト３６と二次転写ローラ２５の間を通過することにより、中間転写ベルト３６上に担持された４色の多重トナー像は一括して記録紙Ｐの表面に二次転写される。即ち、中間転写体である中間転写ベルト３６は、各色の現像剤像を順次多重転写後転写材に一括転写する。
【手続補正１０】
【補正対象書類名】明細書
【補正対象項目名】０１９４
【補正方法】変更
【補正の内容】
【０１９４】
イエロートナーは他色のトナーと比較して視感度が低いため、１色目の画像形成手段をイエローとすることで、実際に得られる出力画像において前述の様な画像欠陥が視認し難くなる。
即ち、前記複数の像担持体の内、画像形成の際に最初に現像剤像が形成される像担持体には、該画像形成装置において使用される各色の現像剤の中で、最も視感度の低い色の現像剤像が形成される様にする。
【手続補正１１】
【補正対象書類名】明細書
【補正対象項目名】０２００
【補正方法】変更
【補正の内容】
【０２００】
以上のべたように、本実施形態の画像形成装置は、複数の像担持体と、該像担持体をそれぞれ帯電する複数の帯電手段と、各像担持体の帯電面に形成された静電潜像を複数のトナーでそれぞれ現像して各色のトナー像を形成する複数の現像手段と、前記複数色のトナー像を被転写体に順次転写する複数の転写手段を備えるカラー画像形成装置であって、前記各帯電手段の内少なくとも一つが像担持体と接触部を形成する可撓性の帯電部材により像担持体面を帯電する接触帯電装置であり、前記帯電部材が少なくとも像担持体と接触する表面が多孔質状であり、像担持体に対して速度差を持って駆動され、少なくとも画像形成時には、交流電圧と直流電圧が重畳して印加されるとともに交流電圧の周波数をｆ(cycle/sec)、像担持体表面の面移動速度をｖ(mm/sec)、とした時、
|ｆ／ｖ| ≧１２(cycle/mm)
の範囲とすることで、重畳した交流電圧が注入帯電されることによる帯電ムラを抑制することを特徴する。
【手続補正１２】
【補正対象書類名】明細書
【補正対象項目名】０２０７
【補正方法】変更
【補正の内容】
【０２０７】
【発明の効果】
以上述べた通り、本発明によれば、像担持体と、該像担持体を帯電する可撓性を有し、少なくともその外周面が多孔質状の接触帯電部材に対して振動電圧を印加して、像担持体面を帯電処理する接触帯電手段と、前記像担持体の帯電面に静電潜像を形成する像露光手段と、その静電潜像を顕像化するための現像剤を内包する現像手段と、顕像化された現像剤像を被転写材に転写する転写手段とを有し、前記現像手段が現像剤像を被転写材に転写した後に像担持体上に残留した現像剤を回収する画像形成装置において、少なくとも前記接触帯電手段と像担持体の接触部に清掃補助粒子が介在し、前記帯電部材に印加する振動バイアスの交流バイアス成分の周波数をｆ(cycle/sec)、像担持体表面の面移動速度をｖ(mm/sec)、
とした時、
|ｆ／ｖ| ≧１２(cycle/mm)
を満足する様に構成されていることにより、帯電部材の汚染を防止するとともに、「象肌」といわれる画像不良を防止することで長期に亘って高画質画像を得ることが可能となる。